(57)【要約】【課題】容器に高級感を付与することができ、かつ蓋材を容易に開封できる容器を提供すること。【解決手段】本発明の容器は、開口部２３と、開口部２３の周縁に形成されたフランジ部２４とを備えた容器本体２と、容器本体２の開口部２３を塞ぐようにフランジ部２４にシールされる蓋材３とからなる容器１であって、蓋材３は、フランジ部２４にシールされることによって開口部２３を塞ぐための蓋部３１と、蓋部３１の外周縁から外側に延出された延出部３２とを備えるものである。【選択図】図１
2014065525.tif 000002
【特許請求の範囲】
【請求項１】
開口部と、前記開口部の周縁に形成されたフランジ部とを備えた容器本体と、
前記容器本体の開口部を塞ぐように前記フランジ部にシールされる蓋材とからなる容器であって、
前記蓋材は、フランジ部にシールされることによって前記開口部を塞ぐための蓋部と、前記蓋部の外周縁から外側に延出された延出部とを備えることを特徴とする容器。
【請求項２】
前記延出部の少なくとも一部が、容器本体の外周側面にシールされることを特徴とする請求項１記載の容器。
【請求項３】
前記延出部の容器本体との未シール部分において、当該未シール部分を横断するミシン目を形成したことを特徴とする請求項２記載の容器。
【請求項４】
前記延出部の少なくとも一部を、容器本体の直径の３分の１以上の幅寸法を有する印字部とすることを特徴とする請求項２記載の容器。
【請求項５】
前記印字部が、前記延出部の先端に形成されていることを特徴とする請求項４記載の容器。
【請求項６】
前記延出部が、蓋部の外周縁から、複数方向に延びる帯状に形成されていることを特徴とする請求項１乃至５記載の容器。
【請求項７】
前記蓋材に開封把持部が設けられていることを特徴とする請求項１乃至６記載の容器。
【請求項８】
前記開封把持部が、前記延出部の未シール部分に設けられていることを特徴とする請求項７記載の容器。
【発明の詳細な説明】
【技術分野】
【０００１】
本発明は、プリン、ゼリー、ババロア、茶碗蒸しといった食品類などに使用可能な容器に関する。
【背景技術】
【０００２】
プリン、ゼリー、ババロア、茶碗蒸しなどの食品に用いる容器では、その内容物を確認できるようにするために、透明な容器本体と蓋材とからなる容器を用いる場合が多い。このような容器では、高級感を付与するといった目的で、容器本体および蓋材の他に、蓋材上に帯封ラベルを設けることが提案されている（例えば、特許文献１）。
【先行技術文献】
【特許文献】
【０００３】
【特許文献１】特開２００２−３６２６０６号公報
【発明の概要】
【発明が解決しようとする課題】
【０００４】
しかしながら、特許文献１に記載の容器では、蓋材を開封する際に、帯封ラベルを取り外す必要があるため、開封の際に手間がかかるという問題がある。また、蓋材の材質は通常プラスチックであるのに対し、帯封ラベルの材質は通常紙なので、食後に廃棄する際に、これらを分別する必要があるという問題もある。さらに、容器本体および蓋材とは別に、蓋材上に帯封ラベルを設けることから、包装のための資材の使用が多いという問題もある。
【０００５】
そこで、本発明は、高級感を付与しつつ蓋材を容易に開封でき、かつ廃棄時の分別を不要にでき、帯封ラベルを設けた容器よりも包装資材の使用が少ない容器を提供することを目的とする。
【課題を解決するための手段】
【０００６】
本発明は以下の構成によるものである。
（１）  開口部と、前記開口部の周縁に形成されたフランジ部とを備えた容器本体と、前記容器本体の開口部を塞ぐように前記フランジ部にシールされる蓋材とからなる容器であって、前記蓋材は、フランジ部にシールされることによって前記開口部を塞ぐための蓋部と、前記蓋部の外周縁から外側に延出された延出部とを備えることを特徴とする容器。
（２）  前記延出部の少なくとも一部が、容器本体の外周側面にシールされることを特徴とする（１）記載の容器。
（３）  前記延出部の容器本体との未シール部分において、当該未シール部分を横断するミシン目を形成したことを特徴とする（２）記載の容器。
（４）  前記延出部の少なくとも一部を、容器本体の直径の３分の１以上の幅寸法を有する印字部とすることを特徴とする（２）記載の容器。
（５）  前記印字部が、前記延出部の先端に形成されていることを特徴とする（４）記載の容器。
（６）  前記延出部が、蓋部の外周縁から、複数方向に延びる帯状に形成されていることを特徴とする（１）乃至（５）記載の容器。
（７）  前記蓋材に開封把持部が設けられていることを特徴とする（１）乃至（６）記載の容器。
（８）  前記開封把持部が、前記延出部の未シール部分に設けられていることを特徴とする（７）記載の容器。
【図面の簡単な説明】
【０００７】
【図１】本発明の第一実施形態に係る容器を示す分解斜視図。
【図２】前記容器を示す斜視図。
【図３】前記蓋材をミシン目に沿って切断した状態を示す斜視図。
【図４】前記蓋材を開封している途中の状態を示す斜視図。
【図５】前記容器を構成する蓋材の幅広部を示す拡大模式図。
【図６】本発明の第二実施形態に係る容器を示す分解斜視図。
【図７】前記容器を示す斜視図。
【図８】前記蓋材を開封している途中の状態を示す斜視図。
【図９】本発明の他の実施形態に係る容器を示す斜視図。
【発明を実施するための形態】
【０００８】
本発明の容器は、開口部と、前記開口部の周縁に形成されたフランジ部とを備えた容器本体と、前記容器本体の開口部を塞ぐように前記フランジ部にシールされる蓋材とからなる容器であって、前記蓋材は、前記開口部を塞ぐための蓋部と、前記蓋部の外周縁から外側に延出された延出部とを備えることを特徴とするものである。
【０００９】
本発明においては、蓋材が、開口部を塞ぐための蓋部の他に、この蓋部の外周縁から外側に延出された延出部を備えている。このため、例えば延出部を含んだ帯状の印刷を施すことなどにより、容器に帯状ラベルが設けられているような外観にでき、容器に高級感を付与できる。
一方で、蓋材は、一体とされた蓋部および延出部から構成されるから、開封の際には、蓋部と延出部とを別々に剥離する必要はなく、蓋材を容易に開封できる。また、この延出部は、蓋材の一部であるため、蓋部と同じ材料で形成でき、開封の際に分別して廃棄処理する必要はなく、さらに、帯封ラベルを設けた容器のように、容器本体および蓋材とは別に、蓋材上に帯封ラベルを設ける必要が無いため、包装資材の使用を少なくできる。
【００１０】
本発明の容器においては、前記延出部の少なくとも一部を容器本体の外周側面にシールすることもできる。
この発明によれば、延出部の少なくとも一部を容器本体の外周側面にシールするため、容器の外周側面に帯状ラベルがシールされているような外観にでき、容器に高級感を付与できる。
【００１１】
本発明の容器においては、前記延出部には、延出部を横断するミシン目が設けられていることが好ましい。
この発明によれば、延出部にミシン目が設けられているので、この未シール部から蓋材の剥離を開始する場合に、このミシン目に沿って延出部を切断できる。そして、切断後、未シールの部分を把持して蓋材の蓋部を剥離できるため、蓋材を容易に剥離できる。
【００１２】
本発明の容器においては、前記延出部のすくなくとも一部を、容器本体の直径の３分の１以上の幅寸法を有する印字部としてもよい。
この発明によれば、延出部の少なくとも一部を印字部とするため、この印字部を印刷領域として利用することができ、印刷用のフィルムを貼らない限りは印刷や装飾ができない容器本体の側面部の一部に、製品情報などを表示したり、あるいは装飾印刷を施したりできるほか、印字部自体の形状を装飾的な形状とすることもできる。
【００１３】
本発明の容器においては、前記蓋材は、例えば複数の前記延出部を備え、前記複数の延出部に、それぞれ前記印字部を設けることもできる。
この発明によれば、複数の延出部のそれぞれに前記印字部を設けることで、容器における印刷領域をより広くできる。
【００１４】
本発明の容器の好ましい実施態様の１つとしては、前記蓋材に、複数の前記延出部を備え、前記複数の延出部は、前記蓋部の中心を挟んで対向する位置に設け、前記蓋部には、前記複数の延出部を繋ぐように、印刷を施すことが挙げられる。
この発明によれば、蓋部には複数の延出部を繋ぐような印刷が施されているので、容器に複数の延出部を繋ぐ帯状ラベルが存在するように見える。これにより、更なる高級感を付与できる。また、印刷なので、デザインや表示内容を容易に変更できる。
【００１５】
本発明の容器においては、蓋材に開封時に把持される開封把持部を設ける構成としてもよい。開封把持部は、蓋部外周に直接設けてもよいし、延出部の一部を切り欠いて開封把持部としてもよい。
この発明によれば、蓋材に開封把持部が設けられているので、開封時に開封把持部を把持して蓋材の蓋部を剥離できる。そのため、蓋材を容易に剥離できる。
【００１６】
［第一実施形態］
以下、本発明の第一実施形態について図１〜図５を例示し、これに基づいて説明する。
容器１は、図１に示すように、容器本体２と、蓋材３とを備えている。
容器本体２は、図１に示すように、円形状の底部２１と、円すい台状の側面部２２と、上方に開口した開口部２３と、開口部２３の周縁に形成されたフランジ部２４とを備えている。容器本体２は、単層構造であっても、多層構造であってもよい。容器本体２を構成する容器材料としては、特に限定されないが、ポリエチレン、ポリプロピレン、ポリスチレン、ポリエチレンテレフタレートなどの合成樹脂、バイオマス由来の素材、紙、アルミニウムなどの金属が挙げられる。容器本体２は、前記容器材料からなるシートを容器形状に成形する方法や、前記容器材料を射出成形する方法などにより作製できる。
【００１７】
蓋材３は、図１に示すように、開口部２３を塞ぐための蓋部３１と、蓋部３１の外周縁から外側に延出された延出部３２とを備えている。蓋材３は、単層構造であっても、多層構造であってもよい。蓋材３を構成する蓋材料としては、特に限定されないが、ポリエチレン、ポリプロピレン、ポリスチレン、ポリエチレンテレフタレートなどの合成樹脂、バイオマス由来の素材、アルミニウムなどの金属が挙げられる。蓋材３は、例えば、前記蓋材料からなるフィルムから作製できる。
【００１８】
蓋部３１は、開口部２３を塞ぐための部分であり、図２に示すように、フランジ部２４にシールされる。これにより、容器１の内部が密封状態とされる。蓋部３１とフランジ部２４とのシール方法としては、熱、超音波などによるシールや接着剤によるシールなどを採用できる。
【００１９】
延出部３２は、図１に示すように、蓋材３の蓋部３１に複数設けられている。蓋部３１には、複数の延出部３２を繋ぐような印刷Ｐが施されている。印刷Ｐは、蓋部３１の上にあたかも帯状ラベルが取り付けられているようなデザインになっている。延出部３２の一部は、図２に示すように、容器本体２の外側の側面部２２にシールされる。そして、延出部３２の他の部分は、図２に示すように、容器本体２の外側の側面部２２に近接しているだけでシールされていない未シール部３３となる。この未シール部３３と側面部２２との間に指などを挿入して、この未シール部３３から蓋材３の剥離を開始できる。
延出部３２と側面部２２とのシール方法としては、熱、超音波などによるシールや、接着剤によるシールなどを採用できる。
【００２０】
未シール部３３における印字部３４との境目には、図１および図２に示すように、延出部３２を横断するミシン目３５が設けられている。このミシン目３５に沿って延出部３２を切断できる。
以上説明した容器１は、次のようにして、開封できる。
容器１を開封する場合には、まず、図３に示すように、ミシン目３５に沿って延出部３２を切断する。次に、図４に示すように、切断後の未シール部３３を把持して矢印方向に引っ張ることにより、蓋材３の蓋部３１を剥離する。このようにすれば、未シール部３３を把持して蓋材３の蓋部３１を剥離できるため、蓋材３を容易に剥離できる。
【００２１】
延出部３２の一方の先端には、図１に示すように、容器本体の３分の１以上の幅寸法を有する印字部３４が設けられている。
この印字部３４は、印刷や装飾を施すことができる印刷領域として利用される。そのため、図５に示すように、本実施形態では、内容物表示などの製品情報がこの印字部３４に印刷されている。
【００２２】
以上のような第一実施形態によれば、次のような効果が得られる。
（１）蓋材３が、蓋部３１の他に、複数の延出部３２を備えている。このため、複数の延出部３２を繋ぐ印刷Ｐを施すことにより、容器１に帯状ラベルが設けられているような外観にでき、容器１に高級感を付与できる。また、蓋材３は、一体とされた蓋部３１および延出部３２から構成されるから、開封の際には、蓋部３１と延出部３２とを別々に剥離する必要はなく、蓋材３を容易に開封できる。また、この延出部３２は、蓋材３の一部であるため、蓋部３１と同じ材料で形成でき、開封の際に分別して廃棄処理する必要はない。さらに、帯封ラベルを設けた容器のように、容器本体および蓋材とは別に、蓋材上に帯封ラベルを設ける必要が無いため、包装資材の使用を少なくできる。
【００２３】
（２）延出部３２に未シール部３３が設けられているので、未シール部３３に指などを挿入して、この未シール部３３から蓋材３の剥離を開始でき、蓋材３を容易に剥離できる。さらに、延出部３２にミシン目３５が設けられているので、この未シール部３３から蓋材３の剥離を開始する場合に、ミシン目３５に沿って延出部３２を切断でき、切断後の未シール部３３を把持して蓋部３１を剥離でき、蓋材３を容易に剥離できる。
【００２４】
（３）延出部３２に印字部３４が設けられているので、この印字部３４を印刷領域として利用することができる。そして、印刷用のフィルムを貼らない限りは印刷や装飾ができない容器本体２の側面部２２の一部に、製品情報などを表示できる。
【００２５】
（４）蓋部３１には複数の延出部３２を繋ぐような印刷Ｐが施されているので、容器１に複数の延出部３２を繋ぐ帯状ラベルが存在するように見える。これにより、更なる高級感を付与できる。また、印刷なので、デザインや表示内容を容易に変更できる。
【００２６】
［第二実施形態］
次に、本発明の第二実施形態について図６〜図８を例示し、これに基づいて説明する。
第二実施形態では、蓋材３を蓋材３Ａに変更した以外は第一実施形態と同様の構成であるので、蓋材３Ａの構成のみを説明する。
【００２７】
蓋材３Ａは、図６に示すように、開口部２３を塞ぐための蓋部３１Ａと、蓋部３１Ａの外周縁から外側に延出された延出部３２Ａとを備えている。蓋材３Ａの層構成、材料およびその作製方法については、前記第一実施形態で用いたものや方法と同様のものや方法を用いることができる。また、蓋部３１Ａとフランジ部２４とのシール方法、および、延出部３２Ａと側面部２２とのシール方法についても、前記第一実施形態で用いた方法と同様の方法を用いることができる。
【００２８】
蓋部３１Ａは、図７に示すように、フランジ部２４にシールされる。延出部３２Ａは、図６に示すように、蓋材３Ａの蓋部３１Ａの対称位置に一対で設けられている。蓋部３１Ａには、一対の延出部３２を繋ぐような印刷Ｐが施されている。
延出部３２Ａの一部は、図７に示すように、容器本体２の外側の側面部２２にシールされる。そして、延出部３２Ａの他の部分は、図７に示すように、容器本体２の外側の側面部２２に近接しているだけでシールされていない未シール部３３Ａとなる。
蓋部３１Ａとフランジ部２４とのシール方法、および、延出部３２Ａと側面部２２とのシール方法については、前記第一実施形態で用いた方法と同様の方法を用いることができる。
【００２９】
未シール部３３Ａにおける蓋部３１Ａとの境目には、図６および図７に示すように、ミシン目３５Ａが設けられている。このミシン目３５に沿って延出部３２Ａを切断できる。未シール部３３Ａには、図６および図７に示すように、開封時に把持される開封把持部３６が設けられている。
以上説明した容器１Ａでは、開封時に開封把持部３６を把持しながら、ミシン目３５Ａに沿って延出部３２を切断できる。そして、図８に示すように、開封把持部３６を把持して矢印方向に引っ張ることにより、蓋部３１Ａを剥離できるため、蓋材３Ａを容易に剥離できる。
【００３０】
延出部３２Ａには、図６に示すように、それぞれ印字部３４Ａが設けられている。
この印字部３４Ａは、その面積が広いため、容器１における印刷領域をより広くできる。
【００３１】
以上のような第二実施形態によれば、第一実施形態における効果（１）〜（４）の他に、次のような効果が得られる。
（５）未シール部３３Ａに開封把持部３６が設けられているので、開封時に開封把持部３６を把持して蓋部３１Ａを剥離できる。そのため、蓋材３Ａを容易に剥離できる。
（６）複数の延出部３２Ａにそれぞれ印字部３４Ａが設けられていることで、容器１Ａにおける印刷領域をより広くできる。
【００３２】
［変形例］
なお、本発明は前述の実施形態に限定されるものではなく、本発明の目的を達成できる範囲での変形、改良などは本発明に含まれるものである。
例えば、前記第二実施形態では、未シール部３３Ａに、開封時に把持される開封把持部３６が設けられているが、これに限定されない。例えば、図９に示すように、蓋部３１Ｂの外周に直接、開封把持部３６を設ける構成としてもよい。さらに、未シール部３３Ａ以外の延出部３２Ａの一部を切り欠いて開封把持部３６としてもよい。
前記実施形態では、延出部３２は、蓋材３に一対で設けられていたが、３つ以上設けられていてもよい。このようにすれば、容器１における印刷領域をより広くできる。
前記実施形態では、容器本体の底部２１の形状を円形状としたが、これに限定されない。底部２１の形状は、三角形状、四角形状、五角形状などの多角形状や、星形状などであってもよい。
【産業上の利用可能性】
【００３３】
本発明は、プリン、ゼリー、ババロア、茶碗蒸しといった食品類などの容器として好適に利用できる。
【符号の説明】
【００３４】
１，１Ａ，１Ｂ…容器
２…容器本体
３，３Ａ…蓋材
２２…側面部
２３…開口部
２４…フランジ部
３１，３１Ａ，３１Ｂ…蓋部
３２，３２Ａ…延出部
３３，３３Ａ，３３Ｂ…未シール部
３４，３４Ａ，３４Ｂ…印字部
３５，３５Ａ，３５Ｂ…ミシン目
３６，３６Ｂ…開封把持部
【図１】
2014065525.tif 000003
【図２】
2014065525.tif 000004
【図３】
2014065525.tif 000005
【図４】
2014065525.tif 000006
【図５】
2014065525.tif 000007
【図６】
2014065525.tif 000008
【図７】
2014065525.tif 000009
【図８】
2014065525.tif 000010
【図９】
2014065525.tif 000011